(57)【要約】【課題】アンテナ装置及びその検査方法において、より簡単に、アンテナ及びプリント基板間を導通状態とすることにある。【解決手段】アンテナ１０の嵌合部１１ａがコネクタ端子２８に嵌合することで、アンテナ１０はプリント基板２５を介して受信回路に導通した状態となる。このように、コネクタ端子２８をアンテナ１０及び受信回路間の接続部材として利用することで、アンテナ１０の一端をプリント基板２５にはんだ付けする必要がない。従って、より簡単に、アンテナ１０及びプリント基板２５間を導通した状態とすることができる。【選択図】図３
2013118594.tif 000002
【特許請求の範囲】
【請求項１】
プリント基板と、そのプリント基板上に設けられる回路と、前記回路と導通するアンテナと、他機器と導通状態となるワイヤーハーネスが接続されるとともに、前記プリント基板に実装される複数のコネクタ端子と、を備えたアンテナ装置において、
前記コネクタ端子のうち少なくとも１つであって、前記回路と導通状態にあるとともに、前記ワイヤーハーネス以外である前記アンテナの接触部が直接的に接触することで前記アンテナ及び前記回路を導通状態とする専用端子を備えたアンテナ装置。
【請求項２】
請求項１に記載のアンテナ装置において、
前記プリント基板に設けられるとともに、外部から前記ワイヤーハーネスがコネクタ接続されるコネクタ本体を備え、
前記専用端子は、前記コネクタ本体に貫通して設けられ、前記コネクタ本体内に位置する第１端部、及びこの第１端部の反対側であって前記プリント基板に接続される第２端部を有し、
前記接触部は前記専用端子における前記コネクタ本体から前記第２端部側に延出する部位に接触することで、前記アンテナが前記回路に導通するアンテナ装置。
【請求項３】
請求項１又は２に記載のアンテナ装置において、
前記接触部は、前記専用端子に嵌合可能な嵌合部として形成されるアンテナ装置。
【請求項４】
請求項２又は３に記載のアンテナ装置において、
前記アンテナには、前記接触部及び前記専用端子の位置が合うように前記コネクタ本体に接触するガイド部が設けられるアンテナ装置。
【請求項５】
請求項１〜４の何れか一項に記載のアンテナ装置において、
前記専用端子は、前記プリント基板の上面に沿った方向に延出する第１の延出部と、この第１の延出部及び前記プリント基板の上面間に延出する第２の延出部と、を有し、
前記接触部は、前記第１の延出部における前記プリント基板と反対側に接触するアンテナ装置。
【請求項６】
請求項１〜５のいずれか一項に記載のアンテナ装置において、
前記アンテナは、少なくとも前記プリント基板を収容するケースの内部に固定的に取り付けられ、
前記ケース内に、前記プリント基板を挿入することで、前記接触部が前記専用端子に接触するアンテナ装置。
【請求項７】
アンテナ装置の検査方法において、
前記アンテナ装置は、
プリント基板と、そのプリント基板上に設けられる回路と、前記回路と導通するアンテナと、他機器と導通状態となるワイヤーハーネスが接続されるとともに、前記基板に実装される複数のコネクタ端子と、
前記コネクタ端子のうち少なくとも１つであって、前記基板上の前記回路と導通状態にあるとともに、前記ワイヤーハーネス以外である前記アンテナが直接的に接触することで前記アンテナ及び前記回路を導通状態とする専用端子と、を備え、
前記専用端子にインピーダンスを検出する検出機器を接続し、その検出機器を通じて検出されたインピーダンスを通じて、前記アンテナが前記回路に導通した状態となっているか否かを検査するアンテナ装置の検査方法。
【発明の詳細な説明】
【技術分野】
【０００１】
この発明は、アンテナ装置及びその検査方法に関する。
【背景技術】
【０００２】
従来、電子キー及び車載機間の無線通信を通じて車両ドアの施解錠又はエンジンの始動を可能とする電子キーシステムが存在する。この電子キーシステムの構成部品として、車両には電子キーからの無線信号を受信するアンテナ装置が搭載されている。
【０００３】
例えば、図１１に示すように、アンテナ装置は、プリント基板１０２と、そのプリント基板１０２上に配設される受信回路１０３と、線材が立体的に折り曲げられるとともに、その端部がプリント基板１０２上のパターン配線を介して受信回路１０３に接続されるアンテナ１０４と、を備える（例えば特許文献１参照）。アンテナ１０４の端部は、はんだ付けによりプリント基板１０２上のパターン配線に固定される。また、アンテナ１０４は、複数の支持部材１０５を通じて、プリント基板１０２の表面から離間した位置に固定的に支持される。
【先行技術文献】
【特許文献】
【０００４】
【特許文献１】特開２０１０−２６８１６７号公報
【発明の概要】
【発明が解決しようとする課題】
【０００５】
上記構成においては、アンテナ装置を組み立てる際に、アンテナ１０４をプリント基板１０２に接続しない状態で受信回路１０３のみ動作確認の検査をしようとすると、受信回路１０３とアンテナ１０４は一連の工程で、はんだ付けできない。すなわち、一旦、受信回路１０３をプリント基板１０２にリフロー工程等で１度目のはんだ付けをした後に上記動作確認の検査を行う。この検査後に、アンテナ１０４をプリント基板１０２に２度目のはんだ付けをしなくてはならず、面倒であった。
【０００６】
この発明は、こうした実情に鑑みてなされたものであり、その目的は、より簡単に、アンテナ及びプリント基板間を導通状態とすることができるアンテナ装置及びその検査方法を提供することにある。
【課題を解決するための手段】
【０００７】
以下、上記目的を達成するための手段及びその作用効果について説明する。
請求項１に記載の発明は、プリント基板と、そのプリント基板上に設けられる回路と、前記回路と導通するアンテナと、他機器と導通状態となるワイヤーハーネスが接続されるとともに、前記プリント基板に実装される複数のコネクタ端子と、を備えたアンテナ装置において、前記コネクタ端子のうち少なくとも１つであって、前記回路と導通状態にあるとともに、前記ワイヤーハーネス以外である前記アンテナの接触部が直接的に接触することで前記アンテナ及び前記回路を導通状態とする専用端子を備えたことをその要旨としている。
【０００８】
同構成によれば、アンテナの接触部が回路に導通する専用端子に接触することで、アンテナはプリント基板を介して回路に導通した状態となる。このように、専用端子をアンテナ及び回路間の接続部材として利用することで、アンテナの一端をプリント基板にはんだ付けする必要がない。よって、回路のプリント基板へのはんだ付けの後であって、この回路の動作確認の検査後に、再度のはんだ付けが不要となる。従って、より簡単に、アンテナと、プリント基板ひいては回路との間を導通状態とすることができる。
【０００９】
請求項２に記載の発明は、請求項１に記載のアンテナ装置において、前記プリント基板に設けられるとともに、外部から前記ワイヤーハーネスがコネクタ接続されるコネクタ本体を備え、前記専用端子は、前記コネクタ本体に貫通して設けられ、前記コネクタ本体内に位置する第１端部、及びこの第１端部の反対側であって前記プリント基板に接続される第２端部を有し、前記接触部は前記専用端子における前記コネクタ本体から前記第２端部側に延出する部位に接触することで、前記アンテナが前記回路に導通することをその要旨としている。
【００１０】
同構成によれば、接触部は専用端子におけるコネクタ本体から第２端部側に延出する部位に接触する。よって、アンテナは、プリント基板上において専用端子と接触することになる。このため、アンテナを基板の上方に設けることが容易となり、アンテナ装置をよりコンパクトに構成することが可能となる。
【００１１】
請求項３に記載の発明は、請求項１又は２に記載のアンテナ装置において、前記接触部は、前記専用端子に嵌合可能な嵌合部として形成されることをその要旨としている。
同構成によれば、アンテナは、自身の嵌合部を通じて専用端子に嵌合する。よって、アンテナ及び専用端子間の導通状態がより確実に保たれる。
【００１２】
請求項４に記載の発明は、請求項２又は３に記載のアンテナ装置において、前記アンテナには、前記接触部及び前記専用端子の位置が合うように前記コネクタ本体に接触するガイド部が設けられることをその要旨としている。
【００１３】
同構成によれば、ガイド部がコネクタ本体に接触することで、接触部及び専用端子の位置が合う。よって、より円滑にアンテナを専用端子に接触又は嵌合させて、導通状態とすることができる。
【００１４】
請求項５に記載の発明は、請求項１〜４の何れか一項に記載のアンテナ装置において、前記専用端子は、前記プリント基板の上面に沿った方向に延出する第１の延出部と、この第１の延出部及び前記プリント基板の上面間に延出する第２の延出部と、を有し、前記接触部は、前記第１の延出部における前記プリント基板と反対側に接触することをその要旨としている。
【００１５】
同構成によれば、アンテナの接触部は第１の延出部の上面に接触する。よって、アンテナは、接触部を通じて、第２の延出部に支持される。従って、専用端子を、上記背景技術において示したアンテナを支持する支持部材として利用できるため、アンテナ装置をより簡易に構成できる。
【００１６】
請求項６に記載の発明は、請求項１〜５のいずれか一項に記載のアンテナ装置において、前記アンテナは、少なくとも前記プリント基板を収容するケースの内部に固定的に取り付けられ、前記ケース内に、前記プリント基板を挿入することで、前記接触部が前記専用端子に接触することをその要旨としている。
【００１７】
同構成によれば、ケースにアンテナが固定的に取り付けられている。よって、ケース内に、プリント基板を挿入するだけで、アンテナ及びプリント基板間を導通状態とすることができる。
【００１８】
請求項７に記載の発明は、アンテナ装置の検査方法において、前記アンテナ装置は、プリント基板と、そのプリント基板上に設けられる回路と、前記回路と導通するアンテナと、他機器と導通状態となるワイヤーハーネスが接続されるとともに、前記基板に実装される複数のコネクタ端子と、前記コネクタ端子のうち少なくとも１つであって、前記基板上の前記回路と導通状態にあるとともに、前記ワイヤーハーネス以外である前記アンテナが直接的に接触することで前記アンテナ及び前記回路を導通状態とする専用端子と、を備え、前記専用端子にインピーダンスを検出する検出機器を接続し、その検出機器を通じて検出されたインピーダンスを通じて、前記アンテナが前記回路に導通した状態となっているか否かを検査することをその要旨としている。
【００１９】
同構成によれば、検出機器を専用端子に接続する。検出機器は、専用端子に接続されるデバイスのインピーダンスを検出するものである。よって、検出されるインピーダンスに基づき、アンテナが専用端子へ接触することでアンテナ及び回路が導通した状態となったか否かを検査することができる。
【発明の効果】
【００２０】
本発明によれば、アンテナ装置及びその検査方法において、より簡単に、アンテナ及びプリント基板間を導通状態とすることができる。
【図面の簡単な説明】
【００２１】
【図１】第１の実施形態におけるアンテナ装置の構成を示す斜視図。
【図２】図１の部分拡大図。
【図３】第１の実施形態におけるアンテナ装置（特にケース内のアンテナ）の構成を示す斜視図。
【図４】図３のＡ−Ａ線断面図。
【図５】第１の実施形態におけるアンテナがコネクタ端子（専用端子）に嵌合する際の斜視図。
【図６】第１の実施形態におけるアンテナがコネクタ端子（専用端子）に嵌合した状態の上面図。
【図７】図６のＢ−Ｂ線断面図。
【図８】第１の実施形態におけるネットワークアナライザが接続されたアンテナ装置の回路部。
【図９】第２の実施形態におけるアンテナがコネクタ端子（専用端子）に嵌合する際の斜視図。
【図１０】第２の実施形態におけるアンテナがコネクタ端子（専用端子）に嵌合する際の上面図。
【図１１】背景技術におけるアンテナ装置の斜視図。
【発明を実施するための形態】
【００２２】
（第１の実施形態）
以下、本発明にかかるアンテナ装置を具体化した第１の実施形態について図１〜図８を参照しつつ説明する。本実施形態におけるアンテナ装置は、電子キーシステムにおいて車載されるものであって、電子キーからの無線信号を受信する。
【００２３】
図１に示すように、アンテナ装置は、樹脂製のケース２０と、そのケース２０に収容される長方板状のプリント基板２５と、プリント基板２５上に設けられる受信回路２６と、プリント基板２５の端部に取り付けられるコネクタ２７と、を備える。また、アンテナ装置は、ケース２０内に設けられるアンテナ１０を備えている。
【００２４】
ケース２０は、プリント基板２５を収納可能に、少なくとも一側面が開放した中空の直方体状に形成される。
図２に拡大して示すように、コネクタ２７は、複数（本例では６）のワイヤ状のコネクタ端子２８と、それらコネクタ端子２８が貫通する樹脂製のコネクタ本体２９と、を有する。コネクタ端子２８は、プリント基板２５の上面に対して水平方向に延出する第１の延出部２８ａと、この第１の延出部２８ａに対して直交をなす第２の延出部２８ｂとが一体でＬ字状に形成される。第１の延出部２８ａの先端（第２の延出部２８ｂと反対側の端部）はコネクタ本体２９内に突出するとともに、第２の延出部２８ｂ（第１の延出部２８ａと反対側の端部）の先端はプリント基板２５の表面に設けられる図示しないパターン配線を介して受信回路２６に導通した状態となっている。なお、複数のコネクタ端子２８のうちアンテナ１０が接触するものが専用端子である。また、上記第１の延出部２８ａの先端は第１端部に相当し、上記第２の延出部２８ｂの先端は第２端部に相当する。
【００２５】
図３に示すように、アンテナ１０は、ケース２０の内頂面に設けられている。本例では、アンテナ１０は、ステンレス鋼にてＬ字状に形成される逆Ｌ型アンテナである。具体的には、アンテナ１０は、プリント基板２５の挿入方向に延出する長手部１１と、この長手部１１に直交する短手部１２とを有する。
【００２６】
ケース２０の内頂面には、アンテナ１０を保持する３つの固定部２１ａ〜２１ｃがケース２０と一体成形されている。図４に示すように、固定部２１ａは、長手部１１の両側面を保持する２つの壁２１ｄと、長手部１１を下側から保持する２つの爪２１ｅとを有する。長手部１１を下側から両爪２１ｅ間に押し込むことで、長手部１１が固定部２１ａに嵌合する。その他の固定部２１ｂ，２１ｃもこれと同様である。長手部１１は固定部２１ａ，２１ｂによって、短手部１２は固定部２１ｃによってケース２０の内頂面に固定されている。
【００２７】
図５に示すように、長手部１１の先端には嵌合部１１ａが形成されている。この図５においては、ケース２０が省略して図示されている。図７に示すように、嵌合部１１ａは、下側に開放した略断面コ字状に形成されている。嵌合部１１ａの内部にはコネクタ端子２８の第１の延出部２８ａが嵌合される。本例では、図５中の一番右側のコネクタ端子２８に嵌合する。図５に示すように、嵌合部１１ａは、上壁１１ｂと、２つの側壁１１ｃとを有する。第１の延出部２８ａを挟む両側壁１１ｃの内面間の距離は図７の下方向に向かうにつれて小さくなるように設定されている。両側壁１１ｃの内面間の距離における最小はコネクタ端子２８の幅（図７の左右方向の長さ）より若干小さく設定されている。
【００２８】
図６に示すように、嵌合部１１ａが第１の延出部２８ａに嵌合することで、アンテナ１０は、コネクタ端子２８を介してプリント基板２５、ひいては受信回路２６に導通した状態となる。
【００２９】
なお、コネクタ２７には、外部からワイヤーハーネス（正確にはハーネス端部に設けられたメスコネクタ）の一端が接続される。この場合には、アンテナ１０が嵌合するコネクタ端子２８はいわゆる空き端子とされる。従って、アンテナ１０が接続されるコネクタ端子２８（専用端子）は、他のコネクタ端子２８と異なってワイヤーハーネスとの接続に使用できない。ワイヤーハーネスの他端には電源装置及び制御装置等の他機器が接続される。この他機器から、ワイヤーハーネス及び専用端子以外のコネクタ端子２８を通じて受信回路２６に電力又は必要な信号が供給される。
【００３０】
以下、アンテナ装置の組み立て方法について説明する。
図３に示すように、プリント基板２５をケース２０内に挿入していく。これにより、図５に示すように、嵌合部１１ａがコネクタ端子２８に接近していく。そして、嵌合部１１ａがコネクタ端子２８に接触した状態で、さらにプリント基板２５をケース２０内に挿入していくことで、図６に示すように、嵌合部１１ａ内に第１の延出部２８ａが嵌合した状態となる。このとき、嵌合部１１ａの両側壁１１ｃが外側（互いに離間する方向）に弾性変形することで第１の延出部２８ａの嵌合部１１ａ内への進入を可能とする。図７に示すように、嵌合部１１ａが嵌合した状態においては、コネクタ端子２８には、嵌合部１１ａの２つの側壁１１ｃが元に戻ろうとする弾性力が印加される。この弾性力によって第１の延出部２８ａが嵌合部１１ａによって把持される。また、嵌合部１１ａの両側壁１１ｃは下方に向かうにつれて互いに近接するように傾斜しているので両側壁１１ｃの弾性力は、コネクタ端子２８を嵌合部１１ａの上壁１１ｂへ向けて付勢する力としても作用する。このため、コネクタ端子２８の上面は上壁１１ｂの内面に押し付けられる。以上により、コネクタ端子２８と嵌合部１１ａの両側壁１１ｃとの接触圧が確保され、良好な導通状態が得られる。そして、ケース２０における開放している一側面を図示しない蓋部で閉じることで、アンテナ装置の組み立てが完了する。
【００３１】
アンテナ装置の組み立てが完了した後に、コネクタ端子２８と嵌合部１１ａとの嵌合が正しく行われたか否か、すなわちアンテナ１０と受信回路２６とが導通状態となったか否かの検査を行う。以下、この検査方法について説明する。
【００３２】
まず、図６に示される矢印Ｃの方向から、コネクタ２７を通じてアンテナ１０が嵌合するコネクタ端子２８にネットワークアナライザ３０を接続する。ネットワークアナライザ３０とは、デバイスのインピーダンス等の高周波特性を測定するものである。
【００３３】
図８には、アンテナ装置の電気的構成が示されている。同図に示すように、コネクタ２７に接続される受信回路２６はインピーダンスＺｉｎを有し、アンテナ１０はインピーダンスＺａｎｔを有するとする。図８に実線で示すように、アンテナ１０とコネクタ端子２８とが導通していない状態においては、ネットワークアナライザ３０によって検出されるインピーダンスの値はインピーダンスＺｉｎとなる。一方、図８に２点鎖線で示すように、アンテナ１０とコネクタ端子２８とが導通した状態においては、ネットワークアナライザ３０によって検出されるインピーダンスの値はインピーダンスＺｉｎとインピーダンスＺａｎｔとを合成した値となる。この検出されるインピーダンスの違いを通じて、アンテナ１０と受信回路２６とが導通した状態となったか否かの検査を行うことができる。
【００３４】
また、コネクタ２７を通じて、アンテナ１０が嵌合するコネクタ端子２８に感度検査機を接続してもよい。これにより、コネクタ２７を通じて感度検査機を接続するだけで、容易に受信回路２６の受信感度の検査を行うことができる。
【００３５】
以上、説明した実施形態によれば、以下の効果を奏することができる。
（１）アンテナ１０の嵌合部１１ａがコネクタ端子２８に嵌合することで、アンテナ１０はプリント基板２５を介して受信回路２６に導通した状態となる。このように、コネクタ端子２８をアンテナ１０及び受信回路２６間の接続部材として利用することで、アンテナ１０の一端をプリント基板２５にはんだ付けする必要がない。よって、受信回路２６のプリント基板２５へのはんだ付けの後であって、この受信回路２６の動作確認の検査後に、再度のはんだ付けが不要となる。従って、より簡単に、アンテナ１０及びプリント基板２５間を導通した状態とすることができる。
【００３６】
また、アンテナ１０をプリント基板２５に、はんだ付けする必要がないことから、はんだ付けに伴うフィレットを形成するための面積の確保が不要となる。
（２）アンテナ１０は、自身の嵌合部１１ａを通じてコネクタ端子２８に嵌合する。詳しくは、コネクタ端子２８によって互いに離間する方向へ広げられた嵌合部１１ａの両側壁１１ｃは弾性力により元の位置に戻ろうとする。この弾性力によって、コネクタ端子２８は両側壁１１ｃに挟み込まれる。これにより、嵌合部１１ａと、第１の延出部２８ａとの接触圧が確保されて良好な導通状態が得られる。
【００３７】
（３）アンテナ１０の嵌合部１１ａは、第１の延出部２８ａに嵌合しているとき、その上面に接触した状態となる。よって、アンテナ１０は、嵌合部１１ａを通じて、第２の延出部２８ｂに支持される。従って、コネクタ端子２８を、上記背景技術において示したアンテナを支持する支持部材として利用できるため、アンテナ装置をより簡易に構成できる。
【００３８】
（４）アンテナ１０は、固定部２１ａ〜２１ｃを通じてケース２０に固定的に取り付けられている。よって、ケース２０内に、プリント基板２５を挿入するだけで、アンテナ１０をコネクタ端子２８に嵌合させることができる。換言すると、ケース２０内にプリント基板２５を挿入したとき、アンテナ１０がコネクタ端子２８に嵌合する位置にアンテナ１０が設けられる。
【００３９】
（５）コネクタ２７を通じて、ネットワークアナライザ３０を、嵌合部１１ａが接触するコネクタ端子２８に接続する。ネットワークアナライザ３０は、コネクタ端子２８に接続されるデバイスのインピーダンスを検出するものである。よって、検出されるインピーダンスの違いに基づき、アンテナ１０及び受信回路２６が導通した状態であるか否かを検査することができる。
【００４０】
（６）アンテナ１０はプリント基板２５の上方に位置する。このため、アンテナ装置をよりコンパクトに構成することができる。
（第２の実施形態）
以下、本発明の第２の実施形態について、図９及び図１０を参照しつつ説明する。以下、第１の実施形態との相違点を中心に説明する。
【００４１】
図９に示すように、嵌合部１１ａの外側部には、上方からみて左右反転したＬ字状のガイド部１５が設けられている。図１０に示すように、嵌合部１１ａが最も外側（図中上側）の第１の延出部２８ａに嵌合した状態で、ガイド部１５は、その先端側の内面１５ａがコネクタ本体２９の側面（図１０の左右方向に延出する面）に接触するように形成される。また、ガイド部１５の先端には、コネクタ本体２９の反対側に湾曲した湾曲部１５ｂが形成されている。
【００４２】
上記構成において、プリント基板２５をケース２０内に挿入していくと、ガイド部１５の内面１５ａがコネクタ本体２９の側面に接触する。このとき、湾曲部１５ｂが形成されることで、ガイド部１５の先端面がコネクタ本体２９の端面に接触することが回避される。この状態で、図１０の上下方向における嵌合部１１ａと、最も外側の第１の延出部２８ａとの位置が合う。さらに、プリント基板２５をケース２０内に挿入していくと、内面１５ａがコネクタ本体２９の側面に摺動しつつ、第１の延出部２８ａが嵌合部１１ａ内に進入していく。これにより、嵌合部１１ａが第１の延出部２８ａに嵌合する。
【００４３】
以上、説明した実施形態によれば、第１の実施形態の（１）〜（５）の効果に加え、以下の効果を奏することができる。
（６）プリント基板２５をケース２０内に挿入する際、ガイド部１５の内面１５ａがコネクタ本体２９の側面に摺動することで、コネクタ端子２８に対する嵌合部１１ａの位置が合う。よって、より円滑に嵌合部１１ａをコネクタ端子２８に嵌合させることができる。
【００４４】
なお、上記実施形態は、これを適宜変更した以下の形態にて実施することができる。
・上記両実施形態においては、第１の延出部２８ａとアンテナ１０との高さは一致していたが、アンテナ１０を折り曲げることで、第１の延出部２８ａと嵌合部１１ａとの高さを一致させてもよい。
【００４５】
・上記両実施形態においては、プリント基板２５はケース２０内に、プリント基板２５の上面に沿った方向から挿入されていたが、この挿入方向はこれに限定されず、例えば、プリント基板２５をケース２０の上下方向から挿入可能に構成してもよい。この場合には、嵌合部１１ａを上下方向に延出するようにアンテナ１０を折り曲げて構成することで、嵌合部１１ａは第２の延出部２８ｂに嵌合可能となる。
【００４６】
・上記両実施形態におけるアンテナ１０をケース２０に保持する固定部２１ａ〜２１ｃの構成は一例であって、これに限定されない。例えば、固定部を円柱状に形成し、アンテナ１０の上面にこの固定部が嵌合する貫通孔を形成する。アンテナ１０の貫通孔を固定部に嵌合させることで、アンテナ１０をケース２０に固定してもよい。
【００４７】
・上記両実施形態においては、アンテナ１０の先端に嵌合部１１ａが形成されていたが、先端に限らずアンテナ１０の中間に嵌合部１１ａが形成されていてもよい。
・上記両実施形態においては、アンテナ１０には嵌合部１１ａが形成されていたが、この嵌合部１１ａを省略してもよい。この場合、アンテナ１０の先端（接触部）は、第１の延出部２８ａの上面に接触可能に構成される。本構成においても、上記両実施形態と同様に、この接触部が第１の延出部２８ａの上面に位置することで、アンテナ１０及びコネクタ端子２８間が導通した状態となるとともに、アンテナ１０はコネクタ端子２８に支持される。本構成においてもアンテナ１０の一端をプリント基板２５にはんだ付けする必要がない。
【００４８】
また、上記接触部は、第１の延出部２８ａに限らず、第２の延出部２８ｂに接触するように構成してもよい。この接触部は、アンテナ１０の先端に限らない。この構成においては、上記背景技術において説明した図１１と同様に、アンテナ１０を支持する支持部材を設けてもよい。この場合であっても、アンテナ１０をプリント基板２５に、はんだ付けする必要がない。
【００４９】
・第２の実施形態におけるガイド部１５の形状は適宜変更可能である。ガイド部は、例えば、コネクタ本体２９の側面のみならず、その上面にも接触する形状であってもよい。また、ガイド部は、コネクタ本体２９の両側面及び上面を覆うような形状であってもよい。
【００５０】
・第２の実施形態においては、ガイド部１５は嵌合部１１ａから延出していたが、アンテナ１０の本体から延出していてもよい。
・第２の実施形態におけるガイド部１５の湾曲部１５ｂを省略してもよい。この場合、ガイド部１５は平面板状に形成される。
【００５１】
・第２の実施形態においては、ガイド部１５はアンテナ１０と一体成形されていたが、ガイド部１５をアンテナ１０と別体で構成してもよい。この場合、ガイド部をアンテナ１０の外周に嵌合可能に例えば環状で構成する。また、この場合、ガイド部１５をアンテナ１０と異なる材質、例えば樹脂で構成してもよい。
【００５２】
・上記両実施形態においては、コネクタ２７は、６つのコネクタ端子２８を有していたが、コネクタ端子２８の数はこれに限らない。
・上記両実施形態においては、アンテナ１０は板状であったが、アンテナ１０の形状はこれに限らず、例えば棒状であってもよい。
【００５３】
・上記実施形態においては、嵌合部１１ａは、最も外側のコネクタ端子２８に嵌合させたが、その他のコネクタ端子２８に嵌合させてもよい。
・上記実施形態においては、アンテナ１０は、固定部２１ａ〜２１ｃを通じてケース２０に固定的に取り付けられていた。しかし、アンテナ１０を、独立して自身の嵌合部１１ａを通じてコネクタ端子２８に嵌合してもよい。この場合、アンテナ１０をコネクタ端子２８に嵌合させた後にそれらをケース２０に収容する。
【００５４】
・上記両実施形態においては、アンテナ装置は、電子キーシステムに適用していたが、その他の無線通信システムに適用してもよい。また、送信用のアンテナ装置に適用してもよい。
【００５５】
・上記両実施形態において、アンテナ１０はコネクタ本体２９内のコネクタ端子２８（専用端子）に接触又は嵌合する構成であってもよい。
・上記両実施形態においては、単一のコネクタ端子２８（専用端子）にアンテナ１０が接触又は嵌合していたが、複数のコネクタ端子２８（専用端子）にアンテナ１０が接触又は嵌合する構成であってもよい。
【００５６】
・上記両実施形態においては、コネクタ端子２８はＬ字状であったが、コネクタ端子はプリント基板２５の上面に対し垂直に延びる直線形状であってもよい。この場合、コネクタ本体は上側に開口し、ワイヤーハーネスはコネクタ本体に上側から挿入される。
【符号の説明】
【００５７】
１０…アンテナ、１１…長手部、１１ａ…嵌合部、１２…短手部、１５…ガイド部、１５ａ…内面、２０…ケース、２１ａ〜２１ｃ…固定部、２５…プリント基板、２６…受信回路、２７…コネクタ、２８…コネクタ端子、２８ａ…第１の延出部、２８ｂ…第２の延出部、２９…コネクタ本体、３０…ネットワークアナライザ（検出機器）。
【図１】
2013118594.tif 000003
【図２】
2013118594.tif 000004
【図３】
2013118594.tif 000005
【図４】
2013118594.tif 000006
【図５】
2013118594.tif 000007
【図６】
2013118594.tif 000008
【図７】
2013118594.tif 000009
【図８】
2013118594.tif 000010
【図９】
2013118594.tif 000011
【図１０】
2013118594.tif 000012
【図１１】
2013118594.tif 000013